(57)【要約】      （修正有）【課題】片手のみの操作により簡単に蓋部を開封することができる使い勝手を向上させた容器キャップの開封容易構造を提供する。【解決手段】キャップ本体部１１の本体接続部１２反対側の本体側係止部４１と、本体側係止部４１と係合するキャップ蓋部２０のキャップ接続部２１反対側の蓋側係止部４２と、キャップ本体部１１胴部に形成されその上端部に本体側係止部４１を設けてキャップ本体部１１の内部側に押下操作される開封操作部４３とを有しキャップ蓋部２０とキャップ本体部１１とを係止するキャップ係止部４０と、本体接続部１２にキャップ本体部１１を貫通する本体貫通孔と、キャップ接続部２１にキャップ蓋部２０を貫通するキャップ貫通孔と、本体貫通孔及びキャップ貫通孔の双方に跨って挿入されキャップ蓋部２０をキャップ本体部１１から回動して開放する向きに引張する連結弾性部材５５とを有するキャップ付勢部５０とを備える。【選択図】図１
0003172325.tif 000002
【実用新案登録請求の範囲】
【請求項１】
容器体の開口部に装着されるキャップ本体部と、前記キャップ本体部を封止するキャップ蓋部と、前記キャップ本体部の本体接続部と前記キャップ蓋部のキャップ接続部とを接続するヒンジ部を備え、前記キャップ蓋部が前記ヒンジ部を中心に前記キャップ本体部に対して回動する容器キャップにおいて、
前記キャップ本体部の前記本体接続部の反対側に形成された本体側係止部と、前記本体側係止部と係合する前記キャップ蓋部の前記キャップ接続部の反対側に形成された蓋側係止部と、前記キャップ本体部の胴部に形成されその上端部に前記本体側係止部を設けて前記キャップ本体部の内部側に押下操作される開封操作部とを有し前記キャップ蓋部と前記キャップ本体部とを係止するキャップ係止部と、
前記本体接続部に前記キャップ本体部を貫通する本体貫通孔と、前記キャップ接続部に前記キャップ蓋部を貫通するキャップ貫通孔と、前記本体貫通孔及び前記キャップ貫通孔の双方に跨って挿入され前記キャップ蓋部を前記キャップ本体部から回動して開放する向きに引張する連結弾性部材とを有するキャップ付勢部
とを備えたことを特徴とする容器キャップの開封容易構造。
【請求項２】
前記連結弾性部材が熱可塑性エラストマーまたはゴムからなる請求項１に記載の容器キャップの開封容易構造。
【請求項３】
前記連結弾性部材が平面視Ｈ字状である請求項１または２に記載の容器キャップの開封容易構造。
【請求項４】
前記本体側係止部に係止凹部が形成され、かつ前記蓋側係止部に係止鉤部が形成されている請求項１ないし３のいずれか１項に記載の容器キャップの開封容易構造。
【請求項５】
前記本体側係止部に係止鉤部が形成され、かつ前記蓋側係止部に係止凹部が形成されている請求項１ないし３のいずれか１項に記載の容器キャップの開封容易構造。
【請求項６】
前記容器体が可撓性チューブ容器である請求項１ないし５のいずれか１項に記載の容器キャップの開封容易構造。
【考案の詳細な説明】
【技術分野】
【０００１】
本考案は容器キャップの開封容易構造に関し、特に片手のみの操作により容器キャップを簡単に開けることができる構造に関する。
【背景技術】
【０００２】
容器の口部に装着されるキャップ部として、当該キャップ部の本体部と封止用の蓋部がヒンジ部（蝶番）により連結されたキャップが存在する（特許文献１，２，３等参照）。この形状のキャップ（ヒンジ付きキャップ）は、蓋部とキャップ本体が常時つながっているため、キャップの開放時に取り外した蓋部を紛失するおそれがない。また、本体部と蓋部は、ほぼ同形状に形成されているため比較的蓋部は大きく、使用時の蓋部の取り外しは容易である。
【０００３】
ヒンジ部を介して本体部とキャップ部が連結されたキャップは、成型技術の進歩に伴い現在では広く普及している。例えば、練り歯磨き、ハンドクリームや乳液等の化粧料、その他の液体、流動体の容器のキャップの用途が代表的である。
【０００４】
しかしながら、前記のヒンジ付きキャップの使用時にキャップ部を開けようとするとき、片手で容器の胴体部分を掴み、もう一方の手で蓋部を摘み上げてヒンジ部方向に回動させていた。すなわち、キャップ部の開封に際して両手での操作が必要である。そのため、片方の手に歯ブラシやくし等を持っていた場合、蓋部の開封に少なからぬ不便を感じることもある。
【０００５】
そこで、現状のヒンジ付きキャップについて、片手のみの操作でも簡単にキャップ部の蓋部を開封することができる使い勝手を向上させた構造が望まれるに至った。
【先行技術文献】
【特許文献】
【０００６】
【特許文献１】特開２００５−１１９７０１号公報
【特許文献２】特開２００７−１６８８２５号公報
【特許文献３】特開２０１１−８４２８８号公報
【考案の概要】
【考案が解決しようとする課題】
【０００７】
本考案は前記の点に鑑みなされたものであり、現状のヒンジ付き容器キャップについて、片手のみの操作により簡単に蓋部を開封することができる使い勝手を向上させた容器キャップの開封容易構造を提供するものである。
【課題を解決するための手段】
【０００８】
すなわち、請求項１の考案は、容器体の開口部に装着されるキャップ本体部と、前記キャップ本体部を封止するキャップ蓋部と、前記キャップ本体部の本体接続部と前記キャップ蓋部のキャップ接続部とを接続するヒンジ部を備え、前記キャップ蓋部が前記ヒンジ部を中心に前記キャップ本体部に対して回動する容器キャップにおいて、前記キャップ本体部の前記本体接続部の反対側に形成された本体側係止部と、前記本体側係止部と係合する前記キャップ蓋部の前記キャップ接続部の反対側に形成された蓋側係止部と、前記キャップ本体部の胴部に形成されその上端部に前記本体側係止部を設けて前記キャップ本体部の内部側に押下操作される開封操作部とを有し前記キャップ蓋部と前記キャップ本体部とを係止するキャップ係止部と、前記本体接続部に前記キャップ本体部を貫通する本体貫通孔と、前記キャップ接続部に前記キャップ蓋部を貫通するキャップ貫通孔と、前記本体貫通孔及び前記キャップ貫通孔の双方に跨って挿入され前記キャップ蓋部を前記キャップ本体部から回動して開放する向きに引張する連結弾性部材とを有するキャップ付勢部とを備えたことを特徴とする容器キャップの開封容易構造に係る。
【０００９】
請求項２の考案は、前記連結弾性部材が熱可塑性エラストマーまたはゴムからなる請求項１に記載の容器キャップの開封容易構造に係る。
【００１０】
請求項３の考案は、前記連結弾性部材が平面視Ｈ字状である請求項１または２に記載の容器キャップの開封容易構造に係る。
【００１１】
請求項４の考案は、前記本体側係止部に係止凹部が形成され、かつ前記蓋側係止部に係止鉤部が形成されている請求項１ないし３のいずれか１項に記載の容器キャップの開封容易構造に係る。
【００１２】
請求項５の考案は、前記本体側係止部に係止鉤部が形成され、かつ前記蓋側係止部に係止凹部が形成されている請求項１ないし３のいずれか１項に記載の容器キャップの開封容易構造に係る。
【００１３】
請求項６の考案は、前記容器体が可撓性チューブ容器である請求項１ないし５のいずれか１項に記載の容器キャップの開封容易構造に係る。
【考案の効果】
【００１４】
請求項１の考案に係る容器キャップの開封容易構造は、容器体の開口部に装着されるキャップ本体部と、前記キャップ本体部を封止するキャップ蓋部と、前記キャップ本体部の本体接続部と前記キャップ蓋部のキャップ接続部とを接続するヒンジ部を備え、前記キャップ蓋部が前記ヒンジ部を中心に前記キャップ本体部に対して回動する容器キャップにおいて、前記キャップ本体部の前記本体接続部の反対側に形成された本体側係止部と、前記本体側係止部と係合する前記キャップ蓋部の前記キャップ接続部の反対側に形成された蓋側係止部と、前記キャップ本体部の胴部に形成されその上端部に前記本体側係止部を設けて前記キャップ本体部の内部側に押下操作される開封操作部とを有し前記キャップ蓋部と前記キャップ本体部とを係止するキャップ係止部と、前記本体接続部に前記キャップ本体部を貫通する本体貫通孔と、前記キャップ接続部に前記キャップ蓋部を貫通するキャップ貫通孔と、前記本体貫通孔及び前記キャップ貫通孔の双方に跨って挿入され前記キャップ蓋部を前記キャップ本体部から回動して開放する向きに引張する連結弾性部材とを有するキャップ付勢部とを備えたため、片手のみの操作により簡単に蓋部を開封することができ、使い勝手が向上する。
【００１５】
請求項２の考案は、請求項１において、前記連結弾性部材が熱可塑性エラストマーまたはゴムからなるため、安価で入手しやすく、加工も容易である。
【００１６】
請求項３の考案は、請求項１または２において、前記連結弾性部材が平面視Ｈ字状であるため、キャップ蓋部を確実に引張することができる。
【００１７】
請求項４の考案は、請求項１ないし３において、前記本体側係止部に係止凹部が形成され、かつ前記蓋側係止部に係止鉤部が形成されているため、簡易な構成でありながら本体側係止部と蓋側係止部とを確実に係合させることができる。
【００１８】
請求項５の考案は、請求項１ないし３において、前記本体側係止部に係止鉤部が形成され、かつ前記蓋側係止部に係止凹部が形成されているため、簡易な構成でありながら本体側係止部と蓋側係止部とを確実に係合させることができる。
【００１９】
請求項６の考案は、請求項１ないし５において、前記容器体が可撓性チューブ容器であるため、液状あるいはペースト状の内容物の収容に最適である。
【図面の簡単な説明】
【００２０】
【図１】本考案の一実施例に係るの容器キャップの開封容易構造の斜視図である。
【図２】図１の容器キャップを有する容器の斜視図である。
【図３】図１の容器キャップの封止状態の断面図である。
【図４】図１の容器キャップの開放状態の断面図である。
【図５】キャップ付勢部の概略断面図である。
【図６】連結弾性部材の斜視図である。
【図７】他の実施例に係るの容器キャップの開封容易構造の斜視図である。
【考案を実施するための形態】
【００２１】
図１，２に示す容器キャップ１０は、容器体１の開口部に装着されるキャップ本体部１１と、キャップ本体部１１を封止するキャップ蓋部２０と、キャップ本体部１１の本体接続部１２とキャップ蓋部２０のキャップ接続部２１とを接続するヒンジ部３０を備え、キャップ蓋部２０がヒンジ部３０を中心にキャップ本体部１１に対して回動するものである。実施例において、容器体１は可撓性チューブ容器であり、バター、接着剤、洗顔料、シャンプー、歯磨き粉等の液状あるいはペースト状の内容物の収容に最適である。
【００２２】
キャップ本体部１１は、図１，３，４に示すように、容器体１に収容された内容物を吐出可能な吐出口１３を有する。キャップ本体部１１の材質は、ポリプロピレンやポリエチレン等の公知の樹脂材料が好適に使用される。また、キャップ本体部１１の形状は特に限定されないが、例えば、図示のように円筒形状に形成される。なお、図３の符号１４は容器体１の開口部に着脱自在に螺着される螺着部である。
【００２３】
キャップ蓋部２０は、図１，３，４に示すように、封止時にキャップ本体部１１の吐出口１３から内容物の漏出を防止する封止部２２を有する。キャップ蓋部２０の材質は、キャップ本体部１１と同様にポリプロピレンやポリエチレン等の公知の樹脂材料が好適に使用される。また、キャップ蓋部２０の形状は、キャップ本体部１１の形状に適合して形成することが好ましい。
【００２４】
ヒンジ部３０は、キャップ蓋部２０をキャップ本体部１１に対して開閉可能に接続するものである。ヒンジ部３０は、成形性の観点から、キャップ本体部１１及びキャップ蓋部２０と同一材料で一体に形成することが好ましい。
【００２５】
本考案の一実施例に係る容器キャップ１０の開封容易構造は、図１，３，４に示すように、本体側係止部４１と蓋側係止部４２と開封操作部４３とを有しキャップ蓋部２０とキャップ本体部１１とを係止するキャップ係止部４０と、本体貫通孔５１とキャップ貫通孔５２と連結弾性部材５５とを有するキャップ付勢部５０とを備える。
【００２６】
キャップ係止部４０において、本体側係止部４１はキャップ本体部１１の本体接続部１２の反対側に形成されており、蓋側係止部４２は本体側係止部４１と係合するキャップ蓋部２０のキャップ接続部２１の反対側に形成されている。そして、本体側係止部４１と蓋側係止部４２が係合することによってキャップ本体部１１とキャップ蓋部２０と係止されて、キャップ本体部１１の封止が行われる。
【００２７】
また、開封操作部４３は、キャップ本体部１１の胴部に形成されその上端部に本体側係止部４１を設けてキャップ本体部１１の内部側に押下操作されるものである。この開封操作部４３では、本体側係止部４１と蓋側係止部４２とが係合している際に、例えばキャップ本体部１１を片手で握りながら親指等で押下操作することによって容易に係合解除することができる。さらに、本体側係止部４１と蓋側係止部４２との係合時には、本体側係止部４１と蓋側係止部４２とが接触することによって開封操作部４３がキャップ本体部１１の内部側に押下されて、本体側係止部４１と蓋側係止部４２とを容易に係合させることができる。
【００２８】
実施例のキャップ係止部４０では、本体側係止部４１に係止凹部４１Ａが形成され、かつ蓋側係止部４２に係止鉤部４２Ａが形成されているため、簡易な構成でありながら本体側係止部４１と蓋側係止部４２とを確実に係合させることができる。
【００２９】
キャップ付勢部５０において、本体貫通孔５１は本体接続部１２にキャップ本体部１１を貫通するものであり、キャップ貫通孔５２はキャップ接続部２１にキャップ蓋部２０を貫通するものである。本体貫通孔５１及びキャップ貫通孔５２は、いずれも後述する連結弾性部材５５の一部が挿入可能な大きさに形成されている。
【００３０】
連結弾性部材５５は、図３〜図５に示すように、本体貫通孔５１及びキャップ貫通孔５２の双方に跨って挿入されキャップ蓋部２０をキャップ本体部１１から回動して開放する向きに引張するものである。この連結弾性部材５５の材質としては、キャップ蓋部２０をキャップ本体部１１から回動して開放する向きに引張可能なものであれば特に限定されないが、安価で入手しやすく、加工（製造）も容易であるオレフィン系エラストマーやスチレン系エラストマー等の熱可塑性エラストマーまたはスチレンブタジエンゴム等のゴムからなることが好ましい。
【００３１】
また、連結弾性部材５５は、図５，６に示すように、本体貫通孔５１及びキャップ貫通孔５２に挿入される挿入部５６と、挿入部５６の両端に略直交方向に形成された係止部５７，５８とからなる平面視略Ｈ字状に形成される。平面視略Ｈ字状の連結弾性部材５５では、両端の係止部５７，５８がキャップ本体部１１とキャップ蓋部２０の内壁部分で係止されるため、キャップ蓋部２０を確実に引張することができる。
【００３２】
以上図示し説明したように、本考案の容器キャップ１０の開封容易構造にあっては、キャップ付勢部５０の連結弾性部材５５によりキャップ蓋部２０がキャップ本体部１１から回動して開放される方向に引張されるため、キャップ蓋部２０の封止時にキャップ本体部１１を片手で握りながら親指等でキャップ係止部４０の開封操作部４３を押下操作すれば、片手のみの操作により本体側係止部４１と蓋側係止部４２との係合状態を解除することができ、簡単にキャップ蓋部２０を開放することができる。また、キャップ蓋部２０の開放時には、キャップ蓋部２０をキャップ本体部１１に対して押し込むだけで本体側係止部４１と蓋側係止部４２とを係合させることができるため、片手のみの操作により簡単にキャップ蓋部２０を封止することができる。従って、従来の容器キャップの構造に比して使い勝手を格段に向上させることができる。
【００３３】
なお、本考案の容器キャップの開封容易構造は、前述の実施例のみに限定されるものではなく、考案の趣旨を逸脱しない範囲において構成の一部を適宜に変更して実施することができる。例えば、実施例では本体側係止部に係止凹部を形成し、かつ蓋側係止部に係止鉤部を形成する構成としたが、図７に示すように、本体側係止部４１に係止鉤部４１Ｂが形成され、かつ蓋側係止部４２に係止凹部４２Ｂが形成されるように構成してもよい。この場合であっても、同様に簡易な構成で本体側係止部と蓋側係止部とを確実に係合させることができる。
【符号の説明】
【００３４】
１    容器体
１０  容器キャップ
１１  キャップ本体部
１２  本体接続部
２０  キャップ蓋部
２１  キャップ接続部
３０  ヒンジ部
４０  キャップ係止部
４１  本体側係止部
４２  蓋側係止部
４３  開封操作部
５０  キャップ付勢部
５１  本体貫通孔
５２  キャップ貫通孔
５５  連結弾性部材
【図１】
0003172325.tif 000003
【図２】
0003172325.tif 000004
【図３】
0003172325.tif 000005
【図４】
0003172325.tif 000006
【図５】
0003172325.tif 000007
【図６】
0003172325.tif 000008
【図７】
0003172325.tif 000009